(57)【要約】【課題】目盛りを従来にない面白味があって遊び心をそそるデザインとすることで、定規その他の目盛りを有する物品を一種のファンシー文具化し、以て当該物品の新たな需要を喚起するための目盛り付き物品における目盛りの表現方法を提供することを課題とする。【解決手段】定規、メジャー、ハカリ、時計その他の目盛り２を有する物品の目盛り２を表現するための方法であって、当該目盛り２自体にデザインを施すことによりファンシー性を具備させる。例えば、目盛り２の高さを不均一にして表現し、目盛り２の上端を結ぶ線が所定の線を表わすように表現し、目盛り２に付加する数字をデザイン化して表現し、また、目盛り２を適宜色分けして表現する。【選択図】図１
2012013431.tif 000002
【特許請求の範囲】
【請求項１】
定規、メジャー、ハカリ、時計その他の目盛り付き物品の目盛りを表現するための方法であって、当該目盛り自体にデザインを施すことによりファンシー性を具備させることを特徴とする目盛り付き物品における目盛りの表現方法。
【請求項２】
前記目盛りの高さを不均一にして表現する、請求項１に記載の目盛り付き物品における目盛りの表現方法。
【請求項３】
前記目盛りの上端を結ぶ線が特定の線を表わすように表現する、請求項１又は２に記載の目盛り付き物品における目盛りの表現方法。
【請求項４】
前記目盛りに付加する数字をデザイン化して表現する、請求項１乃至３のいずれかに記載の目盛り付き物品における目盛りの表現方法。
【請求項５】
前記目盛りを適宜色分けして表現する、請求項１乃至４のいずれかに記載の目盛り付き物品における目盛りの表現方法。
【請求項６】
空白部に又は前記目盛りに重ねて、前記目盛りと関係付けて又は関係なく、適宜イラスト及び／又は文字・図形を表現する、請求項１乃至４のいずれかに記載の目盛り付き物品における目盛りの表現方法。
【請求項７】
前記目盛りと前記イラスト及び／又は文字・図形とで以て、１つの意味のある又はストーリー性のある絵柄を表現する、請求項６に記載の目盛り付き物品における目盛りの表現方法。
【請求項８】
前記目盛りと前記イラスト及び／又は文字・図形を凹凸を持たせて表現する、請求項６又は７に記載の目盛り付き物品における目盛りの表現方法。
【請求項９】
前記目盛り付き物品は定規であって、長方形以外の形状を呈する、請求項１乃至８のいずれかに記載の目盛り付き物品における目盛りの表現方法。
【請求項１０】
前記目盛り付き物品は定規であって、立体形状を呈する、請求項１乃至８のいずれかに記載の目盛り付き物品における目盛りの表現方法。
【請求項１１】
立体面の各面に、前記目盛りと前記イラスト及び／又は文字・図形をそれぞれ異なる表現方法で表現する、請求項１０に記載の目盛り付き物品における目盛りの表現方法。
【請求項１２】
請求項１乃至１１のいずれかに記載の方法により目盛りを表現した、定規、メジャー、ハカリ、時計その他の目盛り付き物品。
【発明の詳細な説明】
【技術分野】
【０００１】
本発明は、目盛り付き物品における目盛りの表現方法及びその方法により目盛りを表現した目盛り付き物品に関するものであり、より詳細には、単なる均一表示の目盛りではなく、キャラクター等のイラストが表示されていて、ファンシー性を有する目盛り付き物品における目盛りの表現方法及びその方法により目盛りを表現した目盛り付き物品に関するものである。
【背景技術】
【０００２】
一般に定規は、プラスチック、竹等の薄い板材の一辺又は両辺に目盛を印刷又は刻設して成り、目盛りは、各ミリメートルを表わすものが細く短く表示され、各センチメートルを表わすものが太く長く表示され、各センチメートル間の５ミリメートルを表わすものがその中間の長さ及び太さに表示される。定規以外のメジャー、ハカリ、時計、その他の目盛り付き物品における目盛りも同様である。
【０００３】
一般の定規その他の目盛り付き物品における目盛りは上記のようなものであって、格別デザインが施されていないために面白味がなく、いわゆるファンシー文具としての資質を備えていない。
【先行技術文献】
【特許文献】
【０００４】
【特許文献１】特開平５−１６４５０１号公報
【発明の概要】
【発明が解決しようとする課題】
【０００５】
上述したように、従来の一般の定規その他の目盛り付き物品の目盛りは、上記のように何の変哲もない画一的なものであって、デザイン的に面白味がなく、いわゆるファンシー文具とはなり得ないものであった。そこで本発明は、目盛りを従来にない面白味があって遊び心をそそるデザインとすることで、定規その他の目盛り付き物品にファンシー文具としての資質を具備させ、以て、当該物品の新たな需要を喚起するための目盛りの表現方法、及び、その方法により目盛りを表現した目盛り付き物品を提供することを課題とする。
【課題を解決するための手段】
【０００６】
上記課題を解決するための請求項１に記載の発明は、定規、メジャー、ハカリ、時計、その他の目盛り付き物品の目盛りを表現するための方法であって、当該目盛り自体にデザインを施すことによりファンシー性を具備させることを特徴とする目盛りの表現方法である。
【０００７】
一実施形態においては、前記目盛りの高さを不均一にして表現し、前記目盛りの上端を結ぶ線が所定の線を表わすように表現し、前記目盛りに付加する数字をデザイン化して表現し、また、前記目盛りを適宜色分けして表現する。
【０００８】
また、一実施形態においては、空白部に又は前記目盛りに重ねて、前記目盛りと関係付けて又は関係なく、適宜イラスト及び／又は文字・図形を表現し、前記目盛りと前記イラスト及び／又は文字・図形とで以て、１つの意味のある又はストーリー性のある絵柄を表現し、前記目盛りと前記イラスト及び／又は文字・図形を凹凸を持たせて表現する。また、一実施形態においては、前記物品は定規であって、長方形以外の形状とし、あるいは、立体形状とする。立体形状とする場合は、その各面に、前記目盛りと前記イラスト及び／又は文字・図形をそれぞれ異なる表現方法で表現することができる。
【０００９】
また、上記課題を解決するための請求項１２に記載の発明は、上記方法のいずれかの方法により目盛りを表現した、定規、メジャー、ハカリ、時計その他の目盛り付き物品である。
【発明の効果】
【００１０】
本発明は上述したように、メジャー、ハカリ、時計その他の目盛り付き物品において目盛りを表現するに当たり、目盛りを従来にない面白味があって遊び心をそそるデザインとすることを特徴とするものであり、目盛り自体にデザインが施されるために物品全体がファンシー性を具備したものとなり、以て当該物品の新たな需要の喚起を期待し得る効果がある。
【図面の簡単な説明】
【００１１】
【図１】本発明に係る目盛り付き物品（定規）の一実施形態を示す正面図である。
【図２】本発明に係る目盛り付き物品（定規）の他の実施形態を示す正面図である。
【発明を実施するための形態】
【００１２】
本発明を実施するための形態について、添付図面を参照しつつ詳細に説明する。本発明に係る目盛りの表現方法は、定規、メジャー、ハカリ、時計その他の目盛り付き物品の目盛りを表現するための方法であって、当該目盛り自体にデザインを施すことによりファンシー性を具備させることを特徴とするものである。図示し、以下に説明する例における目盛り付き物品は定規であるが、その内容は、そのままメジャー、ハカリ、時計その他の目盛り付き物品の目盛りの表現に適用し得ることは言うまでもない。
【００１３】
図１および図２は、それぞれ本発明の異なる実施形態を示す正面図であり、それらに示されるように、定規１の各目盛り２は、その高さが不均一に表現される。ここに不均一とは、必ずしもランダムを意味している訳ではなく、従来の、各ミリメートルを表わす線を細く短く表示し、各センチメートルを表わす線を太く長く表示し、各センチメートル間の５ミリメートルを表わす線をその中間の長さ及び太さに表現するといった画一的表示にしないという意味である。
【００１４】
例えば、目盛り２の上端を結ぶ線が、波線やジグザグ線のような特定の線を表わすように表現したり、棒グラフ状に表現したりすることができる。また、目盛り２が草むらを表わすように表現したり（図１参照）、ビル群の遠景を表わすように表現したりすることもできる。また、目盛り２を適宜色分けして表現することもある。
【００１５】
一実施形態においては、目盛り２のセンチメートル値やミリメートル値を表わす数字をデザイン化する。図１に示す例では、目盛り２を草花に見立て、数字はその花の部分に重ねて表現されている。また、図２に示す例では、いくつかの数字が太く且つ傾斜状態に表現され、また、いくつかの数字は種々の算式や図形によって表現されている（０は１００−１００で表現され、２はアヒルの図形に２を組み込むことにより表現され、５はイチゴ（１５）の図形−１０で表現され、６は３×２で表現され、８はハチの図形で表現され、１０は拳銃の図形で表現されている。）。
【００１６】
このように、定規１の空白部に又は目盛り２に重ねて、目盛り２と関係付けて適宜イラスト３及び／又は文字・図形を表現することがあるが、更に、目盛り２と関係なく、適宜イラスト３及び／又は文字・図形を表現することもある。なお、目盛り２とイラスト３及び／又は文字・図形とで以て、１つの意味のある又はストーリー性のある絵柄を表現することもできる。例えば、図１では全体で、草むらから鳥が顔を出した、好天ののどかな草地が表現されている。また、全体で以て、ある物語の一場面又は複数場面を表現することもできる。
【００１７】
ここに言うイラスト３には、キャラクターや動物の絵や写真、タレントの似顔絵や写真等が含まれる。また、これらのイラスト３や目盛り２等は通常の印刷方法によって表現することができ、また、金型を用いた樹脂成形によって表現することができる。この樹脂成形による場合は、目盛り２、イラスト３、文字・図形等に凹凸を持たせることができる。
【００１８】
定規１は、柔軟樹脂製とすることにより、曲面定規とすることができる。また、定規１は、単なる平坦な板状のものに限らず、長方形以外の形状、例えば、円形、楕円形、動物の輪郭を模した形状、その他任意の形状とすることができる。また、平坦形状とは限らず、立方体、直方体等の立体形状とし、その一面又は複数面に目盛り２、イラスト３等を表現するようにすることもある。この場合、例えば、各面に、ある物語のそれぞれ異なる場面を表現することができる。
【００１９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２０】
１      定規
２      目盛り
３      イラスト
【図１】
2012013431.tif 000003
【図２】
2012013431.tif 000004